(57)【特許請求の範囲】
【請求項１】
下方側所定局所領域の空気（Ｆ2）を集気して排気する排気フード（１）と、該排気フード（１）の側壁（１ａ）に取り付けられ、下方側に該排気フード（１）の集気用開口（１ｂ）の外周囲に空気（Ｆ1）を吹き出す空気吹出口（３）を有する給気チャンバーユニット（２）とからなり、該給気チャンバーユニット（２）の給気通路内壁を、前記排気フード（１）の側壁（１ａ）で構成した給排気装置であって、前記給気チャンバーユニット（２）の上端内縁および下端部に突設した上部および下部取付フランジ（２２），（２３）を、前記排気フード（１）の天面（１ｃ）および側壁（１ａ）に対してそれぞれ止着子（２４），（２５）により着脱可能に取り付けたことを特徴とする給排気装置。
【請求項２】
前記下部取付フランジ（２３）と前記排気フード側壁（１ａ）とを結合する止着子（２５）を該排気フード（１）の内方から止着操作されるものとしたことを特徴とする前記請求項１記載の給排気装置。
【請求項３】
前記上部取付フランジ（２２）の内端には、前記排気フード天面（１ｃ）に形成された係合穴（２６）に係合して位置決めを行う突起（２７）を一体に突設したことを特徴とする前記請求項１および２のいずれか一項記載の給排気装置。
【請求項４】
前記空気吹出口（３）から吹き出される空気（Ｆ1）に旋回成分を付与する旋回流生成手段（１６）を付設したことを特徴とする前記請求項１、２および３のいずれか一項記載の給排気装置。
【請求項５】
下方側所定局所領域の空気（Ｆ2）を集気して排気する排気フード（１）と、該排気フード（１）の側壁（１ａ）に取り付けられ、下方側に該排気フード（１）の集気用開口（１ｂ）の外周囲に空気（Ｆ1）を吹き出す空気吹出口（３）を有する給気チャンバーユニット（２）とからなる給排気装置の組立方法であって、前記給気チャンバーユニット（２）の上端内縁に突設した上部取付フランジ（２２）を前記排気フード（１）の天面（１ｃ）上に載置仮止めし且つ前記給気チャンバーユニット（２）の下端部に突設した下部取付フランジ（２３）を前記排気フード（１）の側壁（１ａ）に当接した後、前記上部取付フランジ（２２）と前記排気フード天面（１ｃ）とを止着子（２４）により着脱可能に結合し、その後、前記下部取付フランジ（２３）と排気フード側壁（１ａ）とを排気フード（１）内方から止着される止着子（２５）により着脱可能に結合するようにしたことを特徴とする給排気装置の組立方法。
【請求項６】
前記上部取付フランジ（２２）の内端には下向きの突起（２７）を一体に突設して、該突起（２７）を前記排気フード天面（１ｃ）に形成された係合穴（２６）に係合することにより位置決めを行うようにしたことを特徴とする前記請求項５記載の給排気装置の組立方法。
【発明の詳細な説明】
【０００１】
【発明の属する技術分野】
【０００２】
本願発明は、所定局所領域の外周囲を覆うエアカーテン流を形成し、該エアカーテン流の内側において、当該局所領域の空気を吸引することにより外部に排気するようにした給排気装置およびその組立方法に関するものである。
【先行技術】
【０００３】
例えば所定の局所領域の換気を行う給排気装置として、当該局所領域の外周囲を覆うようにエアカーテン状に空気を送風する一方、該エアカーテン流内において、当該局所領域の空気を吸引して外部に排出するようにしたものが、本願発明者等によって既に提案されている。
【０００４】
例えば、その一例として図５および図６に示されるようなものがある。
【０００５】
図５および図６に示す給排気装置は、一般家庭の台所又は飲食店の業務用厨房等におけるガステーブル等所定局所領域としての加熱調理器具の上方部に設けられ、該加熱調理器具の外周囲を、室外から導入した外気Ｆ1による上方側から下方側への螺旋状の旋回流エアカーテンによって包み込んで、外乱による漏れを防止することにより、前記所定局所領域の加熱調理器具等から発生する煙や臭い等を効率良く吸引して室外に排気できるようになっており、下方側所定局所領域の空気Ｆ2を集気して排気する直方体形状の排気フード１と、該排気フード１の４個の側壁１ａ，１ａ・・に取り付けられ、下方側に該排気フード１の集気用開口１ｂの外周囲に前記した旋回流エアカーテンを形成すべく空気Ｆ2を吹き出す空気吹出口３，３・・をそれぞれ有する給気チャンバーユニット２，２・・とを備えて構成されている。
【０００６】
また、図６に示すように、該排気フード１の集気用開口１ｂの上方部には、下方側所定局所領域から出る室内空気Ｆ2中のオイルミスト成分を回収除去するための、例えば金属メッシュ構造のグリスフィルタ４が設けられている。
【０００７】
このグリスフィルタ４は、図示のように、下方側樋状の油受け５および上方側隔壁状の取付板６を介してＶの字状に上方側を開いて並設されており、前記集気用開口１ｂを介して上方に吸込まれ、排気ダクト方向に流れて行く室内空気中のオイルミスト成分を確実に回収除去する。該オイルミスト成分の回収時において、前記グリスフィルタ４から流れ落ちるオイルは、前記下方側油受け５内に留められ、前記一端側低位部から外部への所望の油取出通路（図示省略）を介して取り出される。
【０００８】
一方、上記給気チャンバーユニット２，２・・は、図示のように、上記直方体形状の排気フード１の前後左右側壁１ａ，１ａ・・に対応する４組の相互に独立して形成されている。
【０００９】
即ち、該各給気チャンバーユニット２は、天板７ａ、前板７ｂ、底板７ｃを有する背面が開放された断面略長方形構造の箱体７よりなっており、前記排気フード１の側壁１ａに固着された取付板８に対して着脱自在に取り付けられることとなっている。該取付板８の上端部８ａと排気フード１の側壁１ａとの間には、上方が開放された係合隙間９が形成されており、該係合隙間９に対して給気チャンバーユニット２の天板７ａにおける背面側端部に下向きに一体に突設されたリブ１０を係止することにより、給気チャンバーユニット２が着脱自在に取り付けられることとなっている。従って、取付状態においては、給気チャンバーユニット２の背面側は、前記取付板８によって閉塞されることとなっている。符号１１は給気チャンバーユニット２の天板７ａの前端と天井Ｃとの間に配設された目隠し用の遮蔽板１１である。
【００１０】
そして、前記給気チャンバーユニット２を構成する前記箱体７の内部を底部側傾斜板部１２ｂと上部側垂直板部１２ａよりなる仕切板１２によって、大容積の給気空間１３と上下方向に延び且つ前記取付板８との間に形成される小容積の整流通路１４とに区画し、背面側から前面側へ下降傾斜された底板７ｃとともに上記上方から下方にストレートに延びた整流通路１４の下流部を前記背面側から前面側方向に下降傾斜させることによって、上方位置から下方位置外方に向けて所定の傾斜角で斜め前方に傾斜した空気吹出通路１５を形成している。そして、該空気吹出通路１５部分に螺旋方向下方に所定の傾斜角を有した旋回流生成ステータ（旋回流生成手段）１６，１６・・・を長手方向に所定の間隔を保って並設するとともに同通路１５の下流域を空気吹出口３に構成している。
【００１１】
一方、天板７ａには給気ダクト接続口１７が設けられており、給気ダクト１８を介して外気Ｆ1が給気空間１３に供給されることとなっている。該給気空間１３の上流域には、給気ダクト１８および給気ダクト接続口１７を介して供給される給気（換言すれば、外気Ｆ1）を水平方向に拡散分流する給気分流手段として作用する複数の給気流通穴２０，２０・・を有する樋状の仕切り部材１９が設けられている。
【００１２】
また、図５に示すように、この給排気装置においては、排気フード１の側壁１ａ，１ａ・・に取り付けられた給気チャンバーユニット２，２・・の突き合わせ部（即ち、角部）Ａ，Ａ・・は、四角柱形状の飾り板２１，２１・・によって化粧されている。
【発明が解決しようとする課題】
【００１３】
上記のような構造の給排気装置の場合、給気チャンバーユニット２を、排気フード１の側壁１ａに固着された取付板８に対して着脱自在に取り付けるようにしているため、取付板８が必要となるとともに、該取付板８を排気フード側壁１ａに固着するための構造および取付作業が必要となり、構造の複雑化および組立作業の複雑化を招くという不具合がある。
【００１４】
本願発明は、上記課題を解決するためになされたもので、給気チャンバーユニットの取付構造および組立作業を簡略化することを目的とするものである。
【課題を解決するための手段】
【００１５】
請求項１の発明では、上記課題を解決するための手段として、下方側所定局所領域の空気Ｆ2を集気して排気する排気フード１と、該排気フード１の側壁１ａに取り付けられ、下方側に該排気フード１の集気用開口１ｂの外周囲に空気Ｆ1を吹き出す空気吹出口３を有する給気チャンバーユニット２とからなり、前記給気チャンバーユニット２の給気通路内壁を、前記排気フード１の側壁１ａで構成した給排気装置において、前記給気チャンバーユニット２の上端内縁および下端部に突設した上部および下部取付フランジ２２，２３を、前記排気フード１の天面１ｃおよび側壁１ａに対してそれぞれ止着子２４，２５により着脱可能に取り付けるようにしている。
【００１６】
上記のように構成したことにより、取付フランジ２２，２３を止着子２４，２５により取り付けるという簡易な手段で給気チャンバーユニット２の排気フード１への取付が完了することとなり、取付作業性が向上する。
【００１７】
請求項２の発明におけるように、請求項１記載の給排気装置において、前記下部取付フランジ２３と前記排気フード側壁１ａとを結合する止着子２５を該排気フード１の内方から止着操作されるものとした場合、下部取付フランジ２３と排気フード側壁１ａとを結合させるための止着子２５の止着作業が作業スペースの広い排気フード１の内方から行うことができ、止着作業性が一層向上する。
【００１８】
請求項３の発明におけるように、請求項１および２いずれか一項記載の給排気装置において、前記上部取付フランジ２２の内端に、前記排気フード天面１ｃに形成された係合穴２６に係合して位置決めを行う突起２７を一体に突設した場合、上部取付フランジ２２に突設した突起２７を、排気フランジ天面１ｃに形成した係合穴２６に係合することにより、給気チャンバーユニット２の位置決めを行うことができ、給気チャンバーユニット２の取付作業性がより一層向上する。
【００１９】
請求項４の発明におけるように、請求項１、２および３いずれか一項記載の給排気装置において、前記空気吹出口３から吹き出される空気Ｆ1に旋回成分を付与する旋回流生成手段１６を付設した場合、空気吹出口３から吹き出される空気Ｆ1に旋回流生成手段１６によって旋回成分が付与されることとなり、加熱調理器具の外周囲が、吹出空気流Ｆ1により生成される旋回流エアカーテンによって包み込まれることとなる。従って、外乱による漏れが防止されることとなり、前記所定局所領域の加熱調理器具等から発生する煙や臭い等を効率良く吸引して室外に排気できることとなる。
【００２０】
請求項５の発明では、上記課題を解決するための方法として、下方側所定局所領域の空気Ｆ2を集気して排気する排気フード１と、該排気フード１の側壁１ａに取り付けられ、下方側に該排気フード１の集気用開口１ｂの外周囲に空気Ｆ1を吹き出す空気吹出口３を有する給気チャンバーユニット２とからなる給排気装置の組立方法において、前記給気チャンバーユニット２の上端内縁に突設した上部取付フランジ２２を前記排気フード１の天面１ｃ上に載置仮止めし且つ前記給気チャンバーユニット２の下端部に突設した下部取付フランジ２３を前記排気フード１の側壁１ａに当接した後、前記上部取付フランジ２２と前記排気フード天面１ｃとを止着子２４により着脱可能に結合し、その後、前記下部取付フランジ２３と排気フード側壁１ａとを排気フード１内方から止着される止着子２５により着脱可能に結合するようにしている。
【００２１】
上記のような組立方法を採用したことにより、給気チャンバーユニット２の上部取付フランジ２２を排気フード１の天面１ｃ上に載置仮止めし且つ前記給気チャンバーユニット２の下端部に突設した下部取付フランジ２３を前記排気フード１の側壁１ａに当接した後、前記上部取付フランジ２２と前記排気フード天面１ｃとを止着子２４により着脱可能に結合し、その後、前記下部取付フランジ２３と排気フード側壁１ａとを排気フード１内方から止着される止着子２５により結合するという簡単な作業で給気チャンバーユニット２の取付が完了することとなり、構造および取付作業の簡略化を図ることができる。しかも、作業スペースの広い排気フード１の内方からの止着子２５に対する止着作業により取り付けられることとなっているので、取付作業性がより一層向上する。
【００２２】
請求項６の発明におけるように、請求項５載の給排気装置の組立方法において、前記上部取付フランジ２２の内端には下向きの突起２７を一体に突設して、該突起２７を前記排気フード天面１ｃに形成された係合穴２６に係合することにより位置決めを行うようにした場合、上部取付フランジ２２に突設した突起２７を、排気フランジ天面１ｃに形成した係合穴２６に係合することにより、給気チャンバーユニット２の位置決めを行うことができることとなり、給気チャンバーユニット２の取付作業性がより一層向上する。
【発明の実施の形態】
【００２３】
以下、添付の図面を参照して本願発明の好適な実施の形態にかかる給排気装置が示されている。
【００２４】
この給排気装置は、従来技術の項において既に説明したものとほぼ同様な構造を有しており、図１および図２に示すように、例えば一般家庭の台所又は飲食店の業務用厨房等におけるガステーブル等所定局所領域としての加熱調理器具の上方部に設けられ、当該加熱調理器具の外周囲を室外から導入した外気（給気）Ｆ1による上方側から下方側への螺旋状の旋回流エアカーテンによって包み込んで、外乱による漏れを防止することにより、前記所定局所領域の加熱調理器具等から発生する煙や臭い等を効率良く吸引して室外に排気できるようになっている。
【００２５】
この給排気装置は、図１に示すように、下方側所定局所領域の空気（排気）Ｆ2を集気して排気する直方体形状の排気フード１と、該排気フード１の４個の側壁１ａ，１ａ・・に取り付けられ、下方側に該排気フード１の集気用開口１ｂの外周囲に前記した旋回流エアカーテンを形成すべく空気（給気）Ｆ1を吹き出す空気吹出口３，３・・をそれぞれ有する給気チャンバーユニット２，２・・とを備えて構成されている。
【００２６】
また、図２に示すように、該排気フード１の集気用開口１ｂの上方部には、下方側所定局所領域から出る室内空気Ｆ2中のオイルミスト成分を回収除去するための、例えば金属メッシュ構造のグリスフィルタ４，４が設けられている。
【００２７】
このグリスフィルタ４，４は、図示のように、下方側樋状の油受け５および上方側隔壁状の取付板６，６を介してＶの字状に上方側を開いて並設されており、前記集気用開口１ｂを介して上方に吸込まれ、排気ダクト方向に流れて行く室内空気Ｆ2中のオイルミスト成分を確実に回収除去する。該オイルミスト成分の回収時において、前記グリスフィルタ４，４から流れ落ちるオイルは、前記下方側油受け５内に留められ、前記一端側低位部から外部への所望の油取出通路（図示省略）を介して取り出される。
【００２８】
一方、上記給気チャンバーユニット２，２・・は、図１に示すように、上記直方体形状の排気フード１の前後左右側壁１ａ，１ａ・・に対応する４個が相互に独立して形成されている。そして、本実施の形態においては、給気チャンバーユニット２，２・・の突き合わせ部（即ち、角部）Ａ，Ａ・・を化粧するために設けられるは飾り板２１は三角柱形状とされている。このようにすると、従来の四角柱形状のものに比べて給排気装置全体の寸法が小型化できるとともに、飾り板２１のコストも抑えられる。
【００２９】
そして、前記各給気チャンバーユニット２は、天板７ａ、前板７ｂ、底板７ｃを有する背面が開放された断面略長方形構造の箱体７よりなっており、該箱体７の内部は、底部側傾斜板部１２ｂと上部側垂直板部１２ａよりなる仕切板１２によって、大容積の給気空間１３と上下方向に延び且つ前記排気フード１の側壁１ａとの間に形成される小容積の整流通路１４とに区画されている。
【００３０】
そして、背面側から前面側へ下降傾斜された底板７ｃとともに前記上方から下方にストレートに延びた整流通路１４の下流部を前記背面側から前面側方向に下降傾斜させることによって、上方位置から下方位置外方に向けて所定の傾斜角で斜め前方に傾斜した空気吹出通路１５が形成されている。該空気吹出通路１５部分には、螺旋方向下方に所定の傾斜角を有した旋回流生成ステータ（旋回流生成手段）１６，１６・・・が長手方向に所定の間隔を保って並設されるとともに同通路１５の下流域は空気吹出口３とされている。このようにすると、空気吹出口３から吹き出される空気Ｆ1に旋回流生成手段１６によって旋回成分が付与されることとなり、加熱調理器具の外周囲が、吹出空気流Ｆ1により生成される旋回流エアカーテンによって包み込まれることとなる。従って、外乱による漏れが防止されることとなり、前記所定局所領域の加熱調理器具等から発生する煙や臭い等を効率良く吸引して室外に排気できることとなる。
【００３１】
一方、前記箱体７の天板７ａには給気ダクト接続口１７が設けられており、給気ダクト１８を介して外気（給気）Ｆ1が給気空間１３に供給されることとなっている。該給気空間１３の上流域には、給気ダクト１８および給気ダクト接続口１７を介して供給される給気（換言すれば、外気Ｆ1）を水平方向に拡散分流する給気分流手段として作用する複数の給気流通穴２０，２０・・を有する樋状の仕切り部材１９が設けられている。
【００３２】
前記給気チャンバーユニット２の上端内縁（即ち、箱体７の天板７ａの内縁）および下端部（即ち、箱体７の底板７ｃの内端）には、前記天板７ａから水平に延設された上部取付フランジ２２および前記底板７ｃの内端から下向きに延設された下部取付フランジ２３が一体に突設されており、前記上部および下部取付フランジ２２，２３を、前記排気フード１の天面１ｃおよび側壁１ａに対してそれぞれ止着子２４，２５により着脱可能に結合することによって、給気チャンバーユニット２が排気フード１の側壁１ａに着脱可能に取り付けられることとなっている。なお、前記下部取付フランジ２３は上向きに延設させてもよい。
【００３３】
前記上部取付フランジ２２と排気フード天板１ｃとを結合する止着子２４としては、図４（イ）に示すように、上方からの螺着される場合において天井Ｃの邪魔にならないように皿ネジが採用され、前記下部取付フランジ２３と排気フード側壁１ａとを結合する止着子２５としては、図４（ロ）に示すように、前記排気フード１の内方から螺着されるビスが採用される。このようにすると、作業スペースの広い排気フード１の内方からのビス２５に対する止着作業により取り付けられることとなり、取付作業性がより一層向上する。なお、止着子２４の場合、下方（換言すれば、排気フード１の内方）から螺着してもよく、その場合、皿ネジにこだわらなくともよい。
【００３４】
また、前記上部取付フランジ２２の内端には、図４（イ）に示すように、前記排気フード天面１ｃに形成された係合穴２６に係合して位置決めを行う突起２７が下向きに一体に突設されている。この突起２７および係合穴２６は、給気チャンバーユニット２の長手方向に等間隔で少なくとも２個以上形成するのが望ましい。このようにすると、上部取付フランジ２２に突設した突起２７を、排気フランジ天面１ｃに形成した係合穴２６に係合することにより、給気チャンバーユニット２の位置決めを行うことができ、給気チャンバーユニット２の取付作業性がより一層向上する。
【００３５】
図面中、符号２８は排気ダクト接続口、２９は油溜まり溝である。
【００３６】
ついで、上記のような構造の給排気装置における給気チャンバーユニットの組立手順について説明する。
【００３７】
給気チャンバーユニット２の上部取付フランジ２２を排気フード１の天面１ｃ上に載置し、上部取付フランジ２２の突起２７を係合穴２６に係合させて位置決めして仮止めし且つ前記給気チャンバーユニット２の下端部に突設した下部取付フランジ２３を前記排気フード１の側壁１ａに当接した後、前記上部取付フランジ２２と前記排気フード天面１ｃとを皿ネジ２４により着脱可能に結合し、その後、前記下部取付フランジ２３と排気フード側壁１ａとを排気フード１内方から止着されるビス２５により結合するという簡単な作業で給気チャンバーユニット２の取付が完了することとなる。従って、構造および取付作業の簡略化を図ることができるのである。
【発明の効果】
【００３８】
請求項１の発明によれば、下方側所定局所領域の空気Ｆ2を集気して排気する排気フード１と、該排気フード１の側壁１ａに取り付けられ、下方側に該排気フード１の集気用開口１ｂの外周囲に空気Ｆ1を吹き出す空気吹出口３を有する給気チャンバーユニット２とからなり、前記給気チャンバーユニット２の給気通路内壁を、前記排気フード１の側壁１ａで構成した給排気装置において、前記給気チャンバーユニット２の上端内縁および下端部に突設した上部および下部取付フランジ２２，２３を、前記排気フード１の天面１ｃおよび側壁１ａに対してそれぞれ止着子２４，２５により着脱可能に取り付けるようにしたので、取付フランジ２２，２３を止着子２４，２５により取り付けるという簡易な手段で給気チャンバーユニット２の排気フード１への取付が完了することとなり、取付作業性が向上するという効果がある。
【００３９】
請求項２の発明におけるように、請求項１記載の給排気装置において、前記下部取付フランジ２３と前記排気フード側壁１ａとを結合する止着子２５を該排気フード１の内方から止着操作されるものとした場合、下部取付フランジ２３と排気フード側壁１ａとを結合させるための止着子２５の止着作業が作業スペースの広い排気フード１の内方から行うことができ、止着作業性が一層向上する。
【００４０】
請求項３の発明におけるように、請求項１および２のいずれか一項記載の給排気装置において、前記上部取付フランジ２２の内端に、前記排気フード天面１ｃに形成された係合穴２６に係合して位置決めを行う突起２７を一体に突設した場合、上部取付フランジ２２に突設した突起２７を、排気フランジ天面１ｃに形成した係合穴２６に係合することにより、給気チャンバーユニット２の位置決めを行うことができ、給気チャンバーユニット２の取付作業性がより一層向上する。
【００４１】
請求項４の発明におけるように、請求項１、２および３のいずれか一項記載の給排気装置において、前記空気吹出口３から吹き出される空気Ｆ1に旋回成分を付与する旋回流生成手段１６を付設した場合、空気吹出口３から吹き出される空気Ｆ1に旋回流生成手段１６によって旋回成分が付与されることとなり、加熱調理器具の外周囲が、吹出空気流Ｆ1により生成される旋回流エアカーテンによって包み込まれることとなる。従って、外乱による漏れが防止されることとなり、前記所定局所領域の加熱調理器具等から発生する煙や臭い等を効率良く吸引して室外に排気できることとなる。
【００４２】
請求項５の発明によれば、下方側所定局所領域の空気Ｆ2を集気して排気する排気フード１と、該排気フード１の側壁１ａに取り付けられ、下方側に該排気フード１の集気用開口１ｂの外周囲に空気Ｆ1を吹き出す空気吹出口３を有する給気チャンバーユニット２とからなる給排気装置の組立方法において、前記給気チャンバーユニット２の上端内縁に突設した上部取付フランジ２２を前記排気フード１の天面１ｃ上に載置仮止めし且つ前記給気チャンバーユニット２の下端部に突設した下部取付フランジ２３を前記排気フード１の側壁１ａに当接した後、前記上部取付フランジ２２と前記排気フード天面１ｃとを止着子２４により着脱可能に結合し、その後、前記下部取付フランジ２３と排気フード側壁１ａとを排気フード１内方から止着される止着子２５により着脱可能に結合するようにしているので、簡単な作業で給気チャンバーユニット２の取付が完了することとなり、構造および取付作業の簡略化を図ることができるという効果がある。しかも、作業スペースの広い排気フード１の内方からの止着子２５に対する止着作業により取り付けられることとなっているので、取付作業性がより一層向上するという効果もある。
【００４３】
請求項６の発明におけるように、請求項５記載の給排気装置の組立方法において、前記上部取付フランジ２２の内端には下向きの突起２７を一体に突設して、該突起２７を前記排気フード天面１ｃに形成された係合穴２６に係合することにより位置決めを行うようにした場合、上部取付フランジ２２に突設した突起２７を、排気フランジ天面１ｃに形成した係合穴２６に係合することにより、給気チャンバーユニット２の位置決めを行うことができることとなり、給気チャンバーユニット２の取付作業性がより一層向上する。
【図面の簡単な説明】
【図１】  本願発明の実施の形態にかかる給排気装置の斜視図である。
【図２】  図１のＩＩ−ＩＩ拡大断面図である。
【図３】  本願発明の実施の形態にかかる給排気装置の腰部を示す拡大斜視図である。
【図４】  本願発明の実施の形態にかかる給排気装置における給気チャンバーユニットの結合部の構造を示す拡大断面図であり、（イ）は上部取付フランジと排気フード天面との結合部を示し、（ロ）は下部取付フランジと排気フード側壁との結合部を示している。
【図５】  先行例にかかる給排気装置の斜視図である。
【図６】  先行例にかかる給排気装置の拡大半断面図である。
【符号の説明】
１は排気フード、１ａは側壁、１ｂは集気用開口、１ｃは天面、２は給気チャンバーユニット、３は空気吹出口、１６は旋回流生成手段（旋回流生成ステータ）、２２は上部取付フランジ、２３は下部取付フランジ、２４は止着子（皿ネジ）、２５は止着子（ビス）、２６は係合穴、２７は突起、Ｆ1は給気（外気）、Ｆ2は排気（室内空気）。
【図１】
0003692986.tif 000002
【図２】
0003692986.tif 000003
【図３】
0003692986.tif 000004
【図４】
0003692986.tif 000005
【図５】
0003692986.tif 000006
【図６】
0003692986.tif 000007